(57)【要約】【課題】解体が容易な薄葉紙収納箱を提供する。【解決手段】取出し口が設けられた上面部、底面部、一対の側面部、および一対の妻面部を有し、前記上面部の側端縁から延出する上面側フラップと、前記底面部の側端縁から延出する底面側フラップと、前記一対の側面部の両側端縁からそれぞれ延出する一対の側面側フラップとを有し、前記妻面部は、前記上面側フラップの内側に前記底面側フラップが重なり且つ前記底面側フラップの内側に前記一対の側面側フラップが重なるように、前記上面側フラップ、前記底面側フラップ、および前記一対の側面側フラップがそれぞれ折り曲げられて形成され、前記上面側フラップの下端部と前記底面側フラップの上端部とが接合された接合部と、前記接合部の下方に形成され、前記底面側フラップの一方の側端縁寄りの端部から他方の側端縁寄りの端部まで延びるミシン目とを有する、薄葉紙収納箱。【選択図】図１
2020015537.tif 000002
【特許請求の範囲】
【請求項１】
取出し口が設けられた上面部、底面部、一対の側面部、および一対の妻面部を有し、
前記上面部の側端縁から延出する上面側フラップと、
前記底面部の側端縁から延出する底面側フラップと、
前記一対の側面部の両側端縁からそれぞれ延出する一対の側面側フラップとを有し、
前記妻面部は、前記上面側フラップの内側に前記底面側フラップが重なり且つ前記底面側フラップの内側に前記一対の側面側フラップが重なるように、前記上面側フラップ、前記底面側フラップ、および前記一対の側面側フラップがそれぞれ折り曲げられて形成され、
前記上面側フラップの下端部と前記底面側フラップの上端部とが接合された接合部と、
前記接合部の下方に形成され、前記底面側フラップの一方の側端縁寄りの端部から他方の側端縁寄りの端部まで延びるミシン目とを有する、薄葉紙収納箱。
【請求項２】
前記ミシン目は、前記底面側フラップの一方の側端縁から他方の側端縁まで延びる、請求項１に記載の薄葉紙収納箱。
【請求項３】
前記ミシン目の両端部は、前記底面側フラップの両側端縁から離間している、請求項１に記載の薄葉紙収納箱。
【請求項４】
前記ミシン目は、前記接合部から離れる方向に湾曲する、請求項１乃至３のいずれか１項に記載の薄葉紙収納箱。
【請求項５】
前記ミシン目の少なくとも一部が、前記底面側フラップに設けられている、請求項４に記載の薄葉紙収納箱。
【請求項６】
前記ミシン目の少なくとも一部が、前記底面部に設けられている、請求項４に記載の薄葉紙収納箱。
【請求項７】
前記ミシン目の中央部が、前記底面部に設けられている、請求項６に記載の薄葉紙収納箱。
【請求項８】
前記ミシン目の中央部には、前記接合部から離れる方向に前記ミシン目の一部が円弧状に突出する円弧部が形成されている、請求項１乃至７のいずれか１項に記載の薄葉紙収納箱。
【請求項９】
前記側面側フラップは、前記底面部側の一部が切り欠かれた切欠部を有する、請求項１乃至７のいずれか１項に記載の薄葉紙収納箱。
【発明の詳細な説明】
【技術分野】
【０００１】
本発明は、薄葉紙収納箱に関する。
【背景技術】
【０００２】
ティシューペーパーなどの薄葉紙は、紙製等の箱体（以下、薄葉紙収納箱という）に収納され、薄葉紙収納箱の上面部に設けられた取出し口から取り出されて使用される。従来の薄葉紙収納箱は、直方体状の厚紙で形成されており、使用後にそのままの状態で廃棄すると嵩張るため、使用後に解体できるようになっている。
【０００３】
例えば、特許文献１には、一対の内フラップの外面に上下一対の外フラップが接着され、さらに上下一対の外フラップは先端部が重なるように接着された妻面を備えるティシューペーパー収納箱が開示されている。この構成では、上下一対の外フラップのうち下外フラップにミシン目が設けられており、ミシン目の一部（円弧状ミシン線）を破断することにより、妻面に親指大の径を有する開口部が形成される。そして、この開口部に指を掛けて妻面を外側へ引っ張ると、上下一対の外フラップの先端部（接着部）に配置された残りのミシン目（切離し用ミシン線）が破断され、一対の内フラップと上外フラップとの接着が解除される。さらに下外フラップを妻面の外側へ引くと、一対の内フラップと下外フラップとの接着が解除され、薄葉紙収納箱が解体可能となる。
【先行技術文献】
【特許文献】
【０００４】
【特許文献１】特許第４１４２２３８号公報
【発明の概要】
【発明が解決しようとする課題】
【０００５】
しかしながら、解体可能な薄葉紙収納箱では、各フラップ間に接着部が存在し、解体時にこれらの接着部を剥がすために強い力が必要になる。また、解体時に形成される指掛用の開口部は開口寸法が小さいため、妻面に開口を形成する際または各フラップの接着を解除する際に指に負担がかかる。そのため、従来の薄葉紙収納箱は、薄葉紙収納箱の解体に困難を伴う場合がある。
【０００６】
本発明の目的は、解体が容易な薄葉紙収納箱を提供することである。
【課題を解決するための手段】
【０００７】
本発明に係る第１の態様は、取出し口が設けられた上面部、底面部、一対の側面部、および一対の妻面部を有し、前記上面部の側端縁から延出する上面側フラップと、前記底面部の側端縁から延出する底面側フラップと、前記一対の側面部の両側端縁からそれぞれ延出する一対の側面側フラップとを有し、前記妻面部は、前記上面側フラップの内側に前記底面側フラップが重なり且つ前記底面側フラップの内側に前記一対の側面側フラップが重なるように、前記上面側フラップ、前記底面側フラップ、および前記一対の側面側フラップがそれぞれ折り曲げられて形成され、前記上面側フラップの下端部と前記底面側フラップの上端部とが接合された接合部と、前記接合部の下方に形成され、前記底面側フラップの一方の側端縁寄りの端部から他方の側端縁寄りの端部まで延びるミシン目とを有する、薄葉紙収納箱を提供する。
【０００８】
第１の態様では、上面側フラップと底面側フラップとを接合する接合部の下方に、底面側フラップの両側端縁寄りの端部間に延びるミシン目が形成されている。このような構成では、底面側フラップの両側端縁寄りの端部間に延びるミシン目を破断することで、底面側フラップが両側端縁間で切断され、上面側フラップと切断された底面側フラップの一部とが接合された状態で引き出すことができる。これにより、各フラップに接着部が存在していても、少ない力で各フラップの接着を解除することができる。
【０００９】
また、第１の態様では、底面側フラップの両側端縁寄りの端部間にわたってミシン目が破断されると、薄葉紙収納箱に開口部が形成される。形成された開口部は大きな開口寸法を有するため、このような開口部には複数本の指または掌（以下、掌等という）を挿入することができる。そして、開口部に挿入された掌等で妻面部を外側に引っ張ることにより、各フラップの接着が解除され、薄葉紙収納箱の妻面部を開放することができる。そのため、妻面部に開口部を形成する際または各フラップの接着を解除する際に指にかかる負担を軽減することができる。
【００１０】
さらに、第１の態様では、ミシン目を破断し、上面側フラップと底面側フラップとを接合した状態で引き出すだけで、薄葉紙収納箱の妻面部を開放することができる。そのため、１つの動作（以下、ワンアクションという場合がある）で、薄葉紙収納箱を簡単に解体することができる。
【００１１】
本発明に係る第２の態様は、前記ミシン目は、前記底面側フラップの一方の側端縁から他方の側端縁まで延びる、薄葉紙収納箱を提供する。第２の態様では、ミシン目が底面側フラップの一方の側端縁から他方の側端縁まで延びることで、ミシン目の両端部が底面側フラップの両側端縁にそれぞれ連続している。これにより、ミシン目を破断すると、底面側フラップが両側端縁間で簡単に切断される。そのため、底面側フラップの一方の側端縁から他方の側端縁まで延びるミシン目は、底面側フラップの両側端縁間を少ない力で破断することができる。
【００１２】
本発明に係る第３の態様は、前記ミシン目の両端部が、前記底面側フラップの両側端縁から離間している、薄葉紙収納箱を提供する。第３の態様では、ミシン目の一方の端部が、底面側フラップの一方の側端縁から離間し、ミシン目の他方の端部が、底面側フラップの他方の側端縁から離間しているため、ミシン目の両端部が底面側フラップの両側端縁にそれぞれ連続しない構成となる。このような構成は、底面側フラップの一方の側端縁から他方の側端縁までミシン目が延びる構成ではないため、使用前または使用時（以下、解体前という場合がある）にミシン目が破断するのを防ぐことができる。
【００１３】
本発明に係る第４の態様は、前記ミシン目が、前記接合部から離れる方向に湾曲する、薄葉紙収納箱を提供する。第４の態様では、底面側フラップの両側端縁寄りの端部間に延びるミシン目が、上面側フラップと底面側フラップとを接合する接合部から離れる方向に湾曲することにより、ミシン目を破断する際にミシン目に掌等がかかり易くなる。また、ミシン目をこのように湾曲させることにより、ミシン目を破断した後に形成される開口部も湾曲させることができるため、解体時に妻面部に形成された開口部に掌等を挿入し易くなる。
【００１４】
本発明に係る第５の態様は、前記ミシン目の少なくとも一部が、前記底面側フラップに設けられている、薄葉紙収納箱を提供する。第５の態様では、底面側フラップの両側端縁寄りの端部間に延びるミシン目の一部または全部が、外部から目につき易い妻面部の底面側フラップに設けられている。そのため、解体時におけるミシン目の確認が容易である。
【００１５】
本発明に係る第６の態様は、前記ミシン目の少なくとも一部が、前記底面部に設けられている、薄葉紙収納箱を提供する。第６の態様では、底面側フラップの両側端縁寄りの端部間に延びるミシン目の一部または全部が、外部から触れられ難い薄葉紙収納箱の底面部に設けられている。そのため、使用時（解体前）にミシン目が破断されるのを防ぐことができる。
【００１６】
また、第６の態様では、ミシン目の一部が底面部に設けられている場合に、まず底面部に形成されたミシン目の一部を破断することにより、底面部に開口部を形成することができる。そして、底面部に形成された開口部に複数本の指を挿入することにより、掌等を開口部に掛けることができる。また、底面部に形成されたミシン目の一部を破断して形成された開口部に掌等を掛けると、ミシン目の一部が破断された形成された断片が底面部の側端縁で妻面部の内側に折れ曲がる。折れ曲がった断片は、上面側フラップと底面側フラップとを接合した状態で引き出す際に、掌等に対して緩衝部となる。そのため、各フラップの接着を解除する際に、掌等にかかる負担を軽減することができる。
【００１７】
さらに、第６の態様では、ミシン目の一部を底面部に設ける構成として、ミシン目の全部が底面部に設ける構成を採用することができる。このような構成では、外部から触れられ難い薄葉紙収納箱の底面部にミシン目全体を設けることができる。そのため、使用時（解体前）にミシン目が破断されるのを確実に防ぐ抑制することができる。
【００１８】
本発明に係る第７の態様は、前記ミシン目の中央部が、前記底面部に設けられている、薄葉紙収納箱を提供する。第７の態様では、底面側フラップの両側端縁寄りの端部間に延びるミシン目の中で破断され易いミシン目の中央部が、外部から触れられ難い薄葉紙収納箱の底面部に設けられている。そのため、ミシン目の中央部以外の部分が妻面部に設けられている場合でも、使用時（解体前）にミシン目が破断されるのを防ぐことができる。
【００１９】
また、第７の態様では、上述の底面部に形成されたミシン目の一部がミシン目の中央部に対応するため、このミシン目の中央部を破断することにより、底面部の妻面部寄りに掌等を挿入できる程度の開口部を形成することができる。そのため、使用時（解体前）にミシン目が破断されるのを防ぎながら、上面側フラップと底面側フラップとを接合した状態で容易に引き出すことができる。
【００２０】
本発明に係る第８の態様は、前記ミシン目の中央部に、前記接合部から離れる方向に前記ミシン目の一部が円弧状に突出する円弧部が形成されている、薄葉紙収納箱を提供する。第８の態様では、底面側フラップの両側端縁寄りの端部間に延びるミシン目の一部が、ミシン目の中央部から円弧状に突出する円弧部を構成する。このような円弧部を構成するミシン目の一部は、円弧部でないミシン目の他の部分に比べて破断され易いため、この円弧部の破断を契機にミシン目全体を破断することができる。
【００２１】
本発明に係る第９の態様は、前記側面側フラップが、前記底面部側の一部が切り欠かれた切欠部を有する、薄葉紙収納箱を提供する。第９の態様では、側面側フラップの底面部側の一部が切欠部によって切り欠かれているため、上面側フラップと底面側フラップとを接合した状態で引き出す場合に、ミシン目が破断されて形成された断片または形成された開口部に挿入した掌等が各側面側フラップに引っ掛かり難くなる。これにより、上面側フラップと底面側フラップとを接合した状態で引き出す作業が容易になり、一対の側面側フラップに対して上面側フラップの接着と底面側フラップの接着を確実に解除することができる。
【発明の効果】
【００２２】
本発明の一態様によれば、解体が容易な薄葉紙収納箱を提供することができる。
【図面の簡単な説明】
【００２３】
【図１】本発明の実施形態に係る薄葉紙収納箱（第１実施形態）を示す斜視図である。
【図２】第１実施形態に係る薄葉紙収納箱の展開図である。
【図３】第１実施形態に係る薄葉紙収納箱において妻面部を展開して底面部と面一にした図である。
【図４】第１実施形態に係る薄葉紙収納箱を解体する状態（薄葉紙収納箱に開口部を形成して掌等を挿入した状態）を示す図である。
【図５】第１実施形態に係る薄葉紙収納箱を解体する状態（上面側フラップと底面側フラップとを接合した状態で引き出した状態）を示す図である。
【図６】第１実施形態に係る薄葉紙収納箱を解体する状態（妻面部が開放された状態）を示す図である。
【図７】第２実施形態に係る薄葉紙収納箱において妻面部を展開して底面部と面一にした図である。
【図８】第３実施形態に係る薄葉紙収納箱において妻面部を展開して底面部と面一にした図である。
【図９】第４実施形態に係る薄葉紙収納箱において妻面部を展開して底面部と面一にした図である。
【図１０】第５実施形態に係る薄葉紙収納箱において妻面部を展開して底面部と面一にした図である。
【発明を実施するための形態】
【００２４】
以下、本発明の実施の形態について、図面を参照しながら説明する。なお、各図面において、特に説明がない限り、同一の又は対応する構成については同一の符号を付して説明を省略する場合がある。また、理解を容易にするため、図面における各部材の縮尺は実際とは異なる場合がある。また、本明細書では、３軸方向（Ｘ方向、Ｙ方向、Ｚ方向）の３次元直交座標系を用い、薄葉紙収納箱の幅方向をＸ方向とし、奥行き方向をＹ方向とし、高さ方向をＺ方向とする。
【００２５】
図１は、本発明の実施形態に係る薄葉紙収納箱の一例（第１実施形態）を示す斜視図であり、図２は、第１実施形態に係る薄葉紙収納箱の展開図であり、図３は、第１実施形態に係る薄葉紙収納箱において妻面部を展開して底面部と面一にした図である。図１〜図３に示すように、本実施形態に係る薄葉紙収納箱１００は、上面部１０、底面部２０、一対の側面部３０、および一対の妻面部４０とからなる略直方体（立方体を含む）状に形成された箱体である。
【００２６】
薄葉紙収納箱１００内の収容空間には、多数のティシューペーパーＴＰが積層された状態で収納される。薄葉紙収納箱１００は、バージンパルプ、古紙パルプなどを原料とするコートボール紙などを用いて形成される。また、薄葉紙収納箱１００に収容される薄葉紙は、ティシューペーパーに限定されるものではなく、キッチンペーパー、トイレットペーパー、ベビー用または介護用の紙おむつ、生理用ナプキン等の物品を収容することができる。
【００２７】
薄葉紙収納箱１００の外形寸法は、収納されるティシューペーパーＴＰの量や寸法などにより決定されるが、例えば、長手方向（幅）の長さは、１００〜２５０ｍｍにすることができ、好ましくは２００〜２５０ｍｍである。短手方向（奥行き）の長さは、１００〜１５０ｍｍにすることができ、好ましくは１００〜１３０ｍｍである。高さは、４０〜１５０ｍｍにすることができ、好ましくは６０〜１００ｍｍである。
【００２８】
薄葉紙収納箱１００の坪量は、使用に耐えうる十分な強度を確保する観点から、薄葉紙収納箱１００がコートボール紙（厚紙）で形成されている。なお、薄葉紙収納箱１００の坪量は、２５０〜４５０ｇ／ｍ２にすることができ、好ましくは３００〜４００ｇ／ｍ２である。ここで、坪量とは、ＪＩＳ  Ｐ  ８１２４（１９９８）の坪量測定方法に準じて測定したものである。
【００２９】
薄葉紙収納箱１００内に収容されるティシューペーパーＴＰの大きさは、例えば、上面および底面の寸法が６０〜１３０ｍｍ×１５０〜２５０ｍｍ、高さが２０〜１１０ｍｍである。ティシューペーパーのプライ数は、２プライであり、その１プライ当たりの坪量は９．０〜２５．０ｇ／ｍ２、より好ましくは１０．０〜１６．０ｇ／ｍ２である。また、紙厚は、２プライで１００〜２５０μｍであり、より好ましくは１２０〜２００μｍである。なお、坪量とは、ＪＩＳ  Ｐ  ８１２４（１９９８）に基づいて測定した値を意味する。
【００３０】
また、紙厚の測定方法としては、例えば、試験片をＪＩＳ  Ｐ  ８１１１（１９９８）の条件下で十分に調湿した後、同条件下でダイヤルシックネスゲージ（厚み測定器）「ＰＥＡＣＯＣＫ  Ｇ型」（尾崎製作所製）を用いて、２プライの状態で測定する。具体的には、プランジャーと測定台との間にゴミやチリなどがないことを確認して、プランジャーを測定台に設置する。その後、ダイヤルシックネスゲージのメモリを移動させて、ゼロ点を合わせる。次いで、プランジャーを上げて試料を試験台の上におき、プランジャーをゆっくりと下ろし、そのときのゲージを読み取る。このとき、プランジャーをのせるだけとする。プランジャーの端子は、金属製で直径１０ｍｍ程度の円形の平面が紙平面に対し垂直に当たるようにする。この紙厚の測定時の荷重は、約７０ｇｆである。なお、紙厚は、測定を１０回行って得られる平均値とする。
【００３１】
薄葉紙収納箱１００は、上面部１０に取出し口５０を有する。取出し口５０は、収容空間に収容されているティシューペーパーＴＰを上面部１０側から取り出すことができる形状になっている。取出し口５０は、上面部１０のＹ方向の中央に形成され、Ｘ方向に沿う方向が長手方向となる略長方形状の開口を構成する。
【００３２】
本実施形態では、薄葉紙収納箱１００の使用時に、取出し口５０を通じて、収容空間に収容されているティシューペーパーＴＰが外部へ取り出される。なお、取出し口５０のＸ方向の長さやＹ方向の幅は、ティシューペーパーＴＰの大きさ等に基づいて適宜定めることができる。また、本実施形態では、取出し口５０は、薄葉紙収納箱１００の上面部１０のＹ方向の中間にＸ方向に沿って長方形状に形成されているが、これに限定されず、ティシューペーパーＴＰを取り出すことができれば、他の形状でもよい。
【００３３】
薄葉紙収納箱１００は、使用前の段階では、上面部１０に、ミシン目等からなる破断用切目線５１を介して薄葉紙収納箱１００と一体に形成された蓋部５３を有する。使用時には、蓋部５３を破断用切目線５１に沿って切り離し、上面部１０に取出し口５０を形成する。これにより、収容空間内のティシューペーパーＴＰは、取出し口５０から上方に取り出すことができる。なお、本実施形態において、破断用切目線５１は、使用時において蓋部５３を切り離す切り取り線を意味する。
【００３４】
また、上面部１０の取出し口５０には、取出し口５０を覆うように長手方向にスリット５２ａを有する樹脂製フィルム５２が設けられている。なお、樹脂製フィルム５２は、上面部１０の裏面に、取出し口５０の周囲に塗布された接着剤などにより固定されている。ティシューペーパーＴＰは、このスリット５２ａを通して外部に取り出される。なお、樹脂製フィルム５２の材質としては、ポリエチレンやポリプロピレンなどを用いることができるが、これらに限定されない。
【００３５】
薄葉紙収納箱１００を構成する上面部１０、底面部２０および一対の側面部３０は、それぞれ、略長方形状に形成されており、折り曲げ可能に連接されている。そして、底面部２０の長手端縁２０ｃには、図２に示すように、側面部３０の長手端縁２０ｃと連結するための台形状の糊代部２０ｄが折り曲げ可能に連接されている。
【００３６】
薄葉紙収納箱１００は、図１、図２に示すように、さらに上面側フラップ１１、底面側フラップ２１、および一対の側面側フラップ３１を有している。上面側フラップ１１は、上面部１０の両側端縁１０ａ，１０ａから延出されている。また底面側フラップ２１は、底面部２０の両側端縁２０ａ，２０ａから延出されている。さらに一対の側面側フラップ３１は、一対の側面部３０の両側端縁３０ａ，３０ａからそれぞれ延出されている。そして、上面側フラップ１１、底面側フラップ２１および一対の側面側フラップ３１は、それぞれ、略長方形状に形成されており、内側に折り曲げ可能に連接されている。
【００３７】
ここで、本実施形態に係る薄葉紙収納箱１００の成形方法の一例について説明する。なお、薄葉紙収納箱１００の成形方法は、以下に示す成形方法に限定されるものではない。まず、図２に示す上面部１０、底面部２０、および一対の側面部３０をそれぞれ折り曲げる。また、糊代部２０ｄを折り曲げて底面部２０と連接していない側の側面部３０の裏面に糊代部２０ｄを糊付けして、底面部２０と側面部３０とを連結する。これにより、妻面部４０の形成されていない筒状の箱体が形成される。
【００３８】
次に、側面側フラップ３１を、対向配置される側面側フラップ３１と対向するように、それぞれ内側に折り曲げる。次に、底面側フラップ２１を折り曲げた後、上面側フラップ１１の端部（下端部１１ａ）の内面が底面側フラップ２１の端部（上端部２１ａ）外面に重なるように、上面側フラップ１１を折り曲げる。
【００３９】
次いで、底面側フラップ２１の上端部２１ａを除く内面の両端側に設けられた接着部Ａ２３によって、底面側フラップ２１が一対の側面側フラップ３１に接着される。また、上面側フラップ１１の下端部１１ａを除く内面の両端側に設けられた接着部Ａ１３によって、上面側フラップ１１が一対の側面側フラップ３１に接着される。さらに、上面側フラップ１１の下端部１１ａの内面に複数個所（２か所）設けられた接着部Ａ１２によって、上面側フラップ１１の下端部１１ａが底面側フラップ２１（上端部２１ａ）に対して接着される。
【００４０】
なお、各接着部（接着部Ａ１２、接着部Ａ１３、接着部Ａ２３）が設けられる位置は、上述の位置に限定されない。例えば、接着部Ａ２３および接着部Ａ１３を一対の側面側フラップ３１に設け、底面側フラップ２１および上面側フラップ１１を一対の側面側フラップ３１を接着してもよい。また、接着部Ａ１２を底面側フラップ２１の上端部２１ａに設け、上面側フラップ１１の下端部１１ａを底面側フラップ２１の上端部２１ａに接着してもよい。
【００４１】
これにより、薄葉紙収納箱１００が形成される。また、薄葉紙収納箱１００の妻面部４０は、上面側フラップ１１の内側に底面側フラップ２１が重なり、且つ、底面側フラップ２１の内側に一対の側面側フラップ３１が重なる（重畳する）ように、上面側フラップ１１、底面側フラップ２１、および一対の側面側フラップ３１がそれぞれ折り曲げられて形成されたものとなる。
【００４２】
さらに、薄葉紙収納箱１００の妻面部４０には、上面側フラップ１１の下端部１１ａと底面側フラップ２１の上端部２１ａとが接合された接合部４１が形成されている。接合部４１は、上述の接着部Ａ１２によって接着された上面側フラップ１１の下端部１１ａと底面側フラップ２１の上端部２１ａによって構成されている。
【００４３】
なお、妻面部４０を構成する各フラップ間の接合は、少なくとも上面側フラップ１１の下端部１１ａと底面側フラップ２１の上端部２１ａとが接合（接着）されていればよい。すなわち、上面側フラップ１１と一対の側面側フラップ３１との接合（接着）および底面側フラップ２１と一対の側面側フラップ３１との接合（接着）は、いずれも省略することができる。
【００４４】
本実施形態（第１実施形態）の薄葉紙収納箱１００では、接合部４１の下方に、ミシン目２２が形成されている。このミシン目２２は、底面側フラップ２１の一方の側端縁２１ｃ寄りの端部２１ｂから他方の側端縁２１ｃ寄りの端部２１ｂまで延びるように形成されている。ここで、ミシン目２２が接合部４１の下方に形成されていることは、ミシン目２２の全部が接合部４１の下方に形成されていることを意味する。言い換えると、ミシン目２２は、接合部４１と重ならないように接合部４１の下方に設けられている。
【００４５】
具体的には、本実施形態（第１実施形態）の薄葉紙収納箱１００では、ミシン目２２は、底面側フラップ２１の一方の側端縁２１ｃから他方の側端縁２１ｃまで延びるように形成されている。すなわち、底面側フラップ２１の両側端縁２１ｃ，２１ｃ間にわたって連続するように、ミシン目２２が、底面側フラップ２１に形成されている。
【００４６】
また、第１実施形態の薄葉紙収納箱１００では、図１〜図３に示すように、ミシン目２２が、接合部４１から離れる方向（矢印Ｄの方向）に湾曲している。すなわち、ミシン目２２は、接合部４１から離れる方向（矢印Ｄの方向）に凸となる曲線状に形成されている。
【００４７】
また、ミシン目２２の少なくとも一部が、底面側フラップ２１に設けられている。すなわち、ミシン目２２の一部または全部を、底面側フラップ２１に設けることができる。第１実施形態では、図１〜図３に示すように、ミシン目２２の両端部２２ｂが、底面側フラップ２１に設けられている。
【００４８】
また、ミシン目２２の少なくとも一部は、底面部２０に設けられている。すなわち、ミシン目２２の一部または全部を、底面部２０に設けることができる。第１実施形態では、図１〜図３に示すように、ミシン目２２の中央部２２ａが、底面部２０に設けられている。
【００４９】
また、第１実施形態の薄葉紙収納箱１００は、図１〜図３に示すように、側面側フラップ３１は、底面部２０側の一部が切り欠かれた切欠部３１ａを有する。すなわち、第１実施形態の薄葉紙収納箱１００は、側面側フラップ３１の底面部２０側の角部が切り欠かれている。第１実施形態の薄葉紙収納箱１００では、切欠部３１ａの切欠き辺が、直線状の一辺で形成されている。なお、切欠部３１ａの切欠き辺の形状は、この形状に限定されず、曲線状の一辺、直線状の２辺等で形成されていてもよい。
【００５０】
ここで、本実施形態（第１実施形態）の薄葉紙収納箱１００を解体する方法について、説明する。図４は、第１実施形態に係る薄葉紙収納箱を解体する場合に薄葉紙収納箱に開口部を形成して掌等を挿入した状態を示す図である。図５は、第１実施形態に係る薄葉紙収納箱を解体する場合に上面側フラップと底面側フラップとを接合した状態で引き出した状態を示す図である。図６は、第１実施形態に係る薄葉紙収納箱を解体する場合に妻面部が開放された状態を示す図である。
【００５１】
第１実施形態の薄葉紙収納箱１００では、上面側フラップ１１と底面側フラップ２１とを接合する接合部４１の下方に、底面側フラップ２１の両側端縁２１ｃ，２１ｃ間に延びるミシン目２２が形成されている。図４に示すように、底面部２０に形成されたミシン目２２の一部（中央部２２ａ）を破断すると、薄葉紙収納箱１００に開口部ＯＰが形成され、開口部ＯＰには掌等Ｈを挿入することができる。
【００５２】
この開口部ＯＰに掌等Ｈを挿入した状態で、図５に示すように、妻面部４０を外側に引っ張ることにより、底面側フラップ２１の両側端縁２１ｃ寄りの端部２１ｂ間に延びるミシン目２２が破断され、さらに底面側フラップ２１が両側端縁２１ｃ間で切断される。そして、上面側フラップ１１と底面側フラップ２１とを接合した状態で引き出すことができる。これにより、一対の側面側フラップ３１と上面側フラップ１１間の接着、および一対の側面側フラップ３１と底面側フラップ２１間の接着を、少ない力で解除することができる。
【００５３】
また、第１実施形態の薄葉紙収納箱１００では、形成された開口部ＯＰは大きな開口寸法を有するため、掌等Ｈを挿入することができる。そして、開口部ＯＰに挿入された掌等Ｈで妻面部４０を外側に引っ張ることにより、各フラップの接着が少ない力で解除され、図６に示すように、薄葉紙収納箱１００の妻面部４０を開放することができる。そのため、一対の側面側フラップ３１と上面側フラップ１１間の接着、および一対の側面側フラップ３１と底面側フラップ２１間の接着を解除する際に指にかかる負担を軽減することができる。
【００５４】
さらに、第１実施形態の薄葉紙収納箱１００では、図４、図５に示すように、ミシン目２２を破断し、上面側フラップ１１と底面側フラップ２１とを接合した状態で引き出すだけで、図６に示すように、薄葉紙収納箱１００の妻面部４０を開放することができる。このような第１実施形態の薄葉紙収納箱１００は、１つの動作（ワンアクション）で簡単に解体することができる。
【００５５】
また、第１実施形態の薄葉紙収納箱１００では、ミシン目２２が底面側フラップ２１の一方の側端縁２１ｃから他方の側端縁２１ｃまで延びることで、ミシン目２２の両端部２２ｂ、２２ｂが底面側フラップ２１の両側端縁２１ｃ，２１ｃにそれぞれ連続している。これにより、ミシン目２２を破断すると、底面側フラップ２１が両側端縁２１ｃ，２１ｃ間で簡単に切断される。そのため、第１実施形態の薄葉紙収納箱１００では、底面側フラップ２１の一方の側端縁２１ｃから他方の側端縁２１ｃまで延びるミシン目２２を破断することにより、底面側フラップ２１の両側端縁２１ｃ，２１ｃ間を少ない力で破断することができる。
【００５６】
また、第１実施形態の薄葉紙収納箱１００では、底面側フラップ２１の両側端縁２１ｃ，２１ｃ間に延びるミシン目２２が、上面側フラップ１１と底面側フラップ２１とを接合する接合部４１から離れる方向（矢印Ｄの方向）に湾曲している。これにより、ミシン目２２を破断する際にミシン目２２に掌等Ｈがかかり易くなる（図４参照）。また、ミシン目２２をこのように湾曲させることにより、ミシン目２２を破断した後に形成される開口部ＯＰも湾曲させることができるため、解体時に妻面部４０に形成された開口部ＯＰに掌等Ｈを挿入し易くなる（図４参照）。
【００５７】
また、第１実施形態の薄葉紙収納箱１００では、底面側フラップ２１の両側端縁２１ｃ，２１ｃ間に延びるミシン目２２の一部（両端部２２ｂ）が、外部から目につき易い妻面部４０の底面側フラップ２１に設けられている。そのため、解体時におけるミシン目２２の確認が容易である。
【００５８】
また、第１実施形態の薄葉紙収納箱１００では、底面側フラップ２１の両側端縁２１ｃ，２１ｃ間に延びるミシン目２２の一部が、外部から触れられ難い薄葉紙収納箱１００の底面部２０に設けられている。そのため、使用時（解体前）にミシン目２２が破断されるのを防ぐことができる。
【００５９】
また、第１実施形態の薄葉紙収納箱１００では、ミシン目２２の一部が底面部２０に設けられているため、まず底面部２０に形成されたミシン目２２の一部を破断することにより、底面部２０に開口部ＯＰを形成することができる（図４参照）。そして、底面部２０に形成された開口部ＯＰに複数本の指を挿入することにより、掌等Ｈを開口部ＯＰに掛けることができる（図４参照）。
【００６０】
また、底面部２０に形成されたミシン目２２の一部を破断して形成された開口部ＯＰに掌等Ｈを掛けると、ミシン目２２の一部が破断された形成された断片Ｆが底面部２０の側端縁２０ａで妻面部４０の内側に折れ曲がる（図４参照）。折れ曲がった断片Ｆは、上面側フラップ１１と底面側フラップ２１とを接合した状態で引き出す際に、掌等Ｈに対して緩衝部となる（図４〜図６参照）。そのため、一対の側面側フラップ３１と上面側フラップ１１間の接着、及び一対の側面側フラップ３１と底面側フラップ２１間の接着を解除する際に、掌等Ｈにかかる負担を軽減することができる。
【００６１】
第１実施形態の薄葉紙収納箱１００では、底面側フラップ２１の両側端縁２１ｃ，２１ｃ間に延びるミシン目２２の中で破断され易いミシン目２２の中央部２２ａが、外部から触れられ難い薄葉紙収納箱１００の底面部２０に設けられている（図１、図４参照）。そのため、ミシン目２２の中央部２２ａ以外の部分が妻面部４０に設けられている場合でも、使用時（解体前）にミシン目２２が破断されるのを確実に防ぐことができる。
【００６２】
また、第１実施形態の薄葉紙収納箱１００では、上述の底面部２０に形成されたミシン目２２の一部がミシン目２２の中央部２２ａに対応する。そのため、このミシン目２２の中央部２２ａを破断することにより、底面部２０の妻面部４０寄りに掌等Ｈを挿入できる程度の開口部ＯＰを形成することができる。これにより、使用時（解体前）にミシン目２２が破断されるのを確実に防ぎながら、上面側フラップ１１と底面側フラップ２１とを接合した状態で容易に引き出すことができる。
【００６３】
さらに、第１実施形態の薄葉紙収納箱１００では、側面側フラップ３１の底面部２０側の一部が切欠部３１ａによって切り欠かれているため、解体時に妻面部４０を引き出す場合に、ミシン目２２の一部が破断された形成された断片Ｆまたは形成された開口部ＯＰに挿入した掌等Ｈが各側面側フラップ３１に引っ掛かり難くなる。これにより、上面側フラップ１１と底面側フラップ２１とを接合した状態で引き出す作業が容易になり、一対の側面側フラップ３１に対して上面側フラップ１１の接着と底面側フラップ２１の接着を確実に解除することができる。
【００６４】
図７は、第２実施形態に係る薄葉紙収納箱において妻面部を展開して底面部と面一にした図である。第２実施形態の薄葉紙収納箱１００では、ミシン目２２の両端部２２ｂ，２２ｂが、底面側フラップ２１の両側端縁２１ｃ，２１ｃから離間している。すなわち、底面側フラップ２１の一方の側端縁２１ｃ寄りの端部２１ｂから他方の側端縁２１ｃ寄りの端部２１ｂまで延びるミシン目２２の構成として、ミシン目２２の両端部２２ｂが底面側フラップ２１の両側端縁２１ｃ，２１ｃにそれぞれ連続しない構成が採用されている。
【００６５】
第２実施形態の薄葉紙収納箱１００におけるこのような構成は、底面側フラップ２１の一方の側端縁２１ｃから他方の側端縁２１ｃまでミシン目が延びる構成ではない。そのため、使用前または使用時（以下、解体前という場合がある）に、底面側フラップ２１の両側端縁２１ｃ，２１ｃからミシン目２２が破断するのを防ぐことができる。
【００６６】
図８は、第３実施形態に係る薄葉紙収納箱において妻面部を展開して底面部と面一にした図である。第３実施形態の薄葉紙収納箱１００では、底面側フラップ２１の両側端縁２１ｃ，２１ｃ寄りの端部２１ｂ，２１ｂ間に延びるミシン目２２の全部が、外部から目につき易い妻面部４０の底面側フラップ２１に設けられている。そのため、解体時におけるミシン目２２の確認が極めて容易である。
【００６７】
図９は、第４実施形態に係る薄葉紙収納箱において妻面部を展開して底面部と面一にした図である。第４実施形態の薄葉紙収納箱１００では、底面側フラップ２１の一方の側端縁２１ｃ寄りの底面部２０の端部２０ｂから他方の側端縁２１ｃ寄りの端部２０ｂまで延びるミシン目２２が設けられている。すなわち、ミシン目２２の全部が底面部２０に設けられている。
【００６８】
このような構成により、外部から触れられ難い薄葉紙収納箱１００の底面部２０にミシン目２２全体を設けることができる。そのため、使用時（解体前）にミシン目２２が破断されるのを確実に防ぐことができる。
【００６９】
図１０は、第５実施形態に係る薄葉紙収納箱において妻面部を展開して底面部と面一にした図である。第５実施形態の薄葉紙収納箱１００では、底面側フラップ２１の一方の側端縁２１ｃ寄りの底面部２０の端部２０ｂから他方の側端縁２１ｃ寄りの端部２０ｂまで延びるミシン目２２が設けられている。ミシン目２２の中央部２２ａには、接合部４１から離れる方向（矢印Ｄの方向）にミシン目２２の一部が円弧状に突出する円弧部２３が形成されている。すなわち、ミシン目２２の中央部２２ａは、接合部４１から離れる方向（矢印Ｄの方向）に凸となる曲線状に形成されている。
【００７０】
第５実施形態の薄葉紙収納箱１００では、このような円弧部２３を構成するミシン目２２の一部は、円弧部２３でないミシン目２２の他の部分に比べて破断され易い。そのため、この円弧部２３の破断を契機にミシン目２２全体を破断することができる。
【実施例】
【００７１】
以下、本発明について、さらに実施例を用いて具体的に説明する。実施例、比較例の測定、評価は、以下の試験により行った。
【００７２】
＜押し込み試験＞
薄葉紙収納箱１００のミシン目２２を押し込んで、薄葉紙収納箱１００に開口部ＯＰを形成する押し込み試験を行った。押し込み試験では、プッシュプルゲージ（ＩＭＡＤＡ社製、商品名「デジタルフォースゲージ  Ｚ２−２０Ｎ」）を用い、平型（Ｓ２）をプッシュプルゲージに取付ける。まず、プッシュプルゲージの電源を入れて「ＰＥＡＫボタン」を押す（最も高い押し強度を測定する）。次いで、プッシュプルゲージの「ＺＥＲＯボタン」を押し、表示が０であることを確認して、薄葉紙収納箱１００のミシン目２２の中央部２２ａの接合部４１側の近傍に、プッシュプルゲージに取り付けた平型（Ｓ２）を押し当てる。そして、ミシン目２２が破断したときのプッシュプルゲージに表示されている値（押し強度ｋｇｆ）を読み取る。押し強度の測定は１０回行い、その平均値を押し強度とした。押し強度が１．２ｋｇｆ以下の場合、薄葉紙収納箱１００の開口が容易であると評価し、押し強度が１．２ｋｇｆを超えた場合、薄葉紙収納箱１００の開口が困難であると評価した。
【００７３】
＜引き出し試験＞
薄葉紙収納箱１００の妻面部４０を引っ張って、妻面部４０を開放する引き出し試験を行った。引き出し試験では、プッシュプルゲージ（ＩＭＡＤＡ社製、商品名「デジタルフォースゲージ  Ｚ２−２０Ｎ」）を用い、フィルムグリップ（ＦＣ−４０）をプッシュプルゲージに取付ける。上述の破断試験で薄葉紙収納箱１００のミシン目２２を破断した後に形成される断片Ｆの下端部をフィルムグリップ（ＦＣ−４０）で挟み、挟んだ箇所をネジで固定する。まず、プッシュプルゲージの電源を入れて「ＰＥＡＫボタン」を押す（最も高い引き強度を測定する）。次いで、プッシュプルゲージの「ＺＥＲＯボタン」を押し、表示が０であることを確認して、妻面部４０を開放する方向にプッシュプルゲージを引く。そして、プッシュプルゲージに表示されている値（引き強度ｋｇｆ）を読み取る。引き強度の測定は１０回行い、その平均値を引き強度とした。引き強度が１．２ｋｇｆ以下の場合、薄葉紙収納箱１００の解体が容易であると評価し、引き強度が１．２ｋｇｆを超えた場合、薄葉紙収納箱１００の解体が困難であると評価した。
【００７４】
＜解体性＞
薄葉紙収納箱１００の解体性を確認した。解体性の評価は、薄葉紙収納箱１００が１つの動作（ワンアクション）で解体できた場合は○（良好）、１つの動作（ワンアクション）で解体できなかった場合は×（不良）とした。
【００７５】
［実施例１］
薄葉紙収納箱１００として、原紙が坪量３５０ｇ／ｍ２の裏ネズコートボール紙、高さ８０ｍｍ、幅２４３ｍｍ、奥行き１１０ｍｍを作製した。図１〜図３に示すように、上面側フラップ１１と底面側フラップ２１とを接合する接合部４１の下方に、底面側フラップ２１の一方の側端縁２１ｃ寄りの端部２１ｂから他方の側端縁２１ｃ寄りの端部２１ｂまで延びる（底面側フラップ２１の両側端縁２１ｃ寄りの端部２１ｂ間に延びる）ミシン目２２を形成した。具体的には、ミシン目２２の構成として、底面側フラップ２１の両側端縁２１ｃ，２１ｃ間に延びる構成（ミシン目２２の両端部２２ｂ、２２ｂが底面側フラップ２１の両側端縁２１ｃ，２１ｃにそれぞれ連続する構成）を採用した。また、ミシン目２２は、接合部４１から離れる方向（矢印Ｄの方向）に湾曲させ、ミシン目２２の両端部２２ｂを底面側フラップ２１に設け、ミシン目２２の中央部２２ａを底面部２０に設けた。また、側面側フラップ３１は、底面部２０側の一部が切り欠かれた切欠部３１ａを有する形状とした。結果を表１に示す。
【００７６】
[実施例２]
図７に示すように、底面側フラップ２１の両側端縁２１ｃ寄りの端部２１ｂ間に延びるミシン目２２の構成として、ミシン目２２の両端部２２ｂが底面側フラップ２１の両側端縁２１ｃ，２１ｃにそれぞれ連続しない構成を採用した以外は、実施例１と同様に薄葉紙収納箱１００を作製し、評価した。結果を表１に示す。
【００７７】
[実施例３]
図８に示すように、底面側フラップ２１の両側端縁２１ｃ寄りの端部２１ｂ間に延びるミシン目２２の全部を、底面側フラップ２１に設けた以外は、実施例２と同様に薄葉紙収納箱１００を作製し、評価した。結果を表１に示す。
【００７８】
[実施例４]
図９に示すように、底面側フラップ２１の一方の側端縁２１ｃ寄りの底面部２０の端部２０ｂから他方の側端縁２１ｃ寄りの端部２０ｂまで延びる（底面側フラップ２１の両側端縁２１ｃ寄りの底面部２０の端部２０ｂ，２０ｂ間に延びる）ミシン目２２の全部を、底面部２０に設けた以外は、実施例２と同様に薄葉紙収納箱１００を作製し、評価した。結果を表１に示す。
【００７９】
[実施例５]
図１０に示すように、ミシン目２２の中央部２２ａに、接合部４１から離れる方向（矢印Ｄの方向）にミシン目２２の一部が円弧状に突出する円弧部２３を形成した以外は、実施例４と同様に薄葉紙収納箱１００を作製し、評価した。結果を表１に示す。
【００８０】
[比較例１]
一対の内フラップの外面に、先端部が重なる上下一対の外フラップが接着された妻面を備え、上下一対の外フラップのうち下外フラップにミシン目（円弧状ミシン線と切離し用ミシン線）が設けられ、切離し用ミシン線が上下一対の外フラップの接合部に埋設されたティシューペーパー収納箱を用意し、評価した。結果を表１に示す。
【００８１】
[比較例２]
下外フラップに配置切離し用ミシン線が設けられ、切離し用ミシン線と連続する円弧状ミシン線が底面部に設けられ、切離し用ミシン線の一部が上下一対の外フラップの接合部に埋設されている以外は、比較例１と同様の構成を有するティシューペーパー収納箱を用意し、評価した。結果を表１に示す。
【００８２】
【表１】
2020015537.tif 000003
【００８３】
表１より、底面側フラップ２１の両側端縁２１ｃ寄りの端部２１ｂ間に延びるミシン目２２が、上面側フラップ１１と底面側フラップ２１とを接合する接合部４１の下方に形成された薄葉紙収納箱１００は、いずれも、押し強度が１．２ｋｇｆ以下であり、引き強度が１．２ｋｇｆ以下であった（実施例１〜５）。
【００８４】
これに対して、底面側フラップ２１の両側端縁２１ｃ寄りの端部２１ｂ間に延びるミシン目２２が、上面側フラップ１１と底面側フラップ２１とを接合する接合部４１の下方に形成された構成を有しない薄葉紙収納箱は、いずれも押し強度が１．２ｋｇｆを超え、いずれかの引き強度が１．２ｋｇｆを超えた（比較例１、２）。
【００８５】
これらの結果から、上面側フラップの下端部と底面側フラップの上端部とが接合された接合部の下方に、底面側フラップの一方の側端縁寄りの端部から他方の側端縁寄りの端部まで延びるミシン目が形成された薄葉紙収納箱は、簡単に解体することができることが判る。
【００８６】
以上、本発明の実施形態について説明したが、本発明は特定の実施形態に限定されるものではなく、特許請求の範囲に記載された発明の範囲内において、種々の変形、変更が可能である。
【符号の説明】
【００８７】
１００  薄葉紙収納箱
１０  上面部
１０ａ  側端縁
１１  上面側フラップ
１１ａ  下端部
２０  底面部
２０ａ  側端縁
２０ｂ  端部
２１  底面側フラップ
２１ａ  上端部
２１ｂ  端部
２１ｃ  側端縁
２２  ミシン目
２２ａ  中央部
２２ｂ  端部
３０  側面部
３０ａ  側端縁
３１  側面側フラップ
３１ａ  切欠部
４０  妻面部
４１  接合部
５０  取出し口
Ａ１２、Ａ１３、Ａ２３  接着部
ＯＰ  開口部
Ｆ  断片
ＴＰ  ティシューペーパー
【図１】
2020015537.tif 000004
【図２】
2020015537.tif 000005
【図３】
2020015537.tif 000006
【図４】
2020015537.tif 000007
【図５】
2020015537.tif 000008
【図６】
2020015537.tif 000009
【図７】
2020015537.tif 000010
【図８】
2020015537.tif 000011
【図９】
2020015537.tif 000012
【図１０】
2020015537.tif 000013